(57)【要約】【課題】複数のページ間におけるレイアウト構成の変更を行なうことができる画像処理装置およびプログラムを提供する。【解決手段】所定の原稿に対して領域指示のための領域指定とその配置番号とを含む加筆情報５０１を有している加筆原稿５００の画像情報の画像構成を定義する画像構成ブロックの階層構造の解析結果および加筆情報５０１の加筆原稿５００上の位置から、処理対象となる画像構成ブロックを選択し、各画像構成ブロックに対して配置番号を割り当てるとともに、再配置指示シート６００の画像情報から配置番号６０１とその位置を認識し、再配置指示シート６００の配置番号６０１の位置に対応する配置番号が割り当てられている画像構成ブロックを再配置する。【選択図】        図１１
2009225244.tif 000002
【特許請求の範囲】
【請求項１】
所定の原稿に対して領域指示のための領域指定とその配置番号とを含む加筆情報を有している加筆原稿の画像情報を取得する原稿画像取得手段と、
前記原稿画像取得手段で取得された画像情報の画像構成を定義する画像構成ブロックの階層構造を解析する画像内容解析手段と、
前記加筆原稿内に加筆された前記加筆情報を取得する加筆情報取得手段と、
前記加筆情報取得手段によって取得された加筆情報の前記加筆原稿上の位置に基づき、前記画像内容解析手段での解析結果から処理対象となる前記画像構成ブロックを選択する処理対象ブロック選択手段と、
前記処理対象ブロック選択手段で選択された前記画像構成ブロックに対して、前記加筆情報に含まれる配置番号を割り当てる番号割当手段と、
配置番号とその位置を記した再配置指示シートの画像情報を取得する再配置指示画像取得手段と、
前記再配置指示画像取得手段で取得した前記再配置指示シートの画像情報について、再配置指示として記された配置番号とその位置を認識する配置番号認識手段と、
前記再配置指示シートの配置番号の位置に、対応する配置番号が割り当てられている前記画像構成ブロックを再配置する再配置手段と、
を備えることを特徴とする画像処理装置。
【請求項２】
前記配置番号認識手段は、再配置指示として加筆された配置番号とその位置に加えて、前記再配置指示シートに加筆されている画像配置のための枠線の位置座標も認識し、
前記再配置手段は、前記配置番号認識手段で認識した前記枠線の位置座標内に収まるような形態で、前記画像構成ブロックを再配置する、
ことを特徴とする請求項１記載の画像処理装置。
【請求項３】
コンピュータを、
所定の原稿に対して領域指示のための領域指定とその配置番号とを含む加筆情報を有している加筆原稿の画像情報を取得する原稿画像取得手段と、
前記原稿画像取得手段で取得された画像情報の画像構成を定義する画像構成ブロックの階層構造を解析する画像内容解析手段と、
前記加筆原稿内に加筆された前記加筆情報を取得する加筆情報取得手段と、
前記加筆情報取得手段によって取得された加筆情報の前記加筆原稿上の位置に基づき、前記画像内容解析手段での解析結果から処理対象となる前記画像構成ブロックを選択する処理対象ブロック選択手段と、
前記処理対象ブロック選択手段で選択された前記画像構成ブロックに対して、前記加筆情報に含まれる配置番号を割り当てる番号割当手段と、
配置番号とその位置を記した再配置指示シートの画像情報を取得する再配置指示画像取得手段と、
前記再配置指示画像取得手段で取得した前記再配置指示シートの画像情報について、再配置指示として記された配置番号とその位置を認識する配置番号認識手段と、
前記再配置指示シートの配置番号の位置に、対応する配置番号が割り当てられている前記画像構成ブロックを再配置する再配置手段と、
として実行させることを特徴とするプログラム。
【請求項４】
前記配置番号認識手段は、再配置指示として加筆された配置番号とその位置に加えて、前記再配置指示シートに加筆されている画像配置のための枠線の位置座標も認識し、
前記再配置手段は、前記配置番号認識手段で認識した前記枠線の位置座標内に収まるような形態で、前記画像構成ブロックを再配置する、
ことを特徴とする請求項３記載のプログラム。
【発明の詳細な説明】
【技術分野】
【０００１】
本発明は、画像処理装置およびプログラムに関する。
【背景技術】
【０００２】
一般に、パーソナルコンピュータ等により作成した電子文書の内容についてのチェック処理や校正処理については、パーソナルコンピュータ等の表示部を介して実行することが多い。このように電子文書のままチェック処理や校正処理を行なうことにより、その都度に電子文書の内容の修正を行うことができる。しかしながら、全体を一度に見通すことが難しいため、何度も修正を繰り返さなければならない場合がある。
【０００３】
そこで、パーソナルコンピュータ等により作成した電子文書について、全体的な文書校正やレイアウトを見る際には、電子文書を紙に印刷してチェックすることも行われている。これは、紙に印刷した文書のほうが文書全体を見通すには便利だからである。このような場合、電子文書を印刷した紙上で編集作業を行い、最後にその紙をみながらパーソナルコンピュータ等の表示部を介して電子文書を編集する。
【０００４】
近年、上述したような「電子文書を印刷した紙上で編集作業を行い、最後にその紙をみながらパーソナルコンピュータ等の表示部を介して電子文書を編集する」という作業を容易にするために、紙文書に手書きした情報を、スキャナまたは特殊なペン装置を用いて電子文書に反映させるようにした装置が開示されている（特許文献１参照）。
【０００５】
また、紙文書に手書き加筆することで修正や移動等の操作を行うことができる装置も開発されつつある。
【０００６】
【特許文献１】特開２００６−０２０１４４号公報
【発明の開示】
【発明が解決しようとする課題】
【０００７】
すなわち、特許文献１に開示されている装置を用いて電子文書が印刷された紙上に編集指示を手書きして修正や移動等の操作を行うことも考えられるが、電子文書が印刷された紙上に編集指示を手書き加筆する場合には、ページを超えた指定が難しいという問題がある。
【０００８】
本発明は、上記に鑑みてなされたものであって、複数のページ間におけるレイアウト構成の変更を行なうことができる画像処理装置およびプログラムを提供することを目的とする。
【課題を解決するための手段】
【０００９】
上述した課題を解決し、目的を達成するために、請求項１にかかる発明の画像処理装置は、所定の原稿に対して領域指示のための領域指定とその配置番号とを含む加筆情報を有している加筆原稿の画像情報を取得する原稿画像取得手段と、前記原稿画像取得手段で取得された画像情報の画像構成を定義する画像構成ブロックの階層構造を解析する画像内容解析手段と、前記加筆原稿内に加筆された前記加筆情報を取得する加筆情報取得手段と、前記加筆情報取得手段によって取得された加筆情報の前記加筆原稿上の位置に基づき、前記画像内容解析手段での解析結果から処理対象となる前記画像構成ブロックを選択する処理対象ブロック選択手段と、前記処理対象ブロック選択手段で選択された前記画像構成ブロックに対して、前記加筆情報に含まれる配置番号を割り当てる番号割当手段と、配置番号とその位置を記した再配置指示シートの画像情報を取得する再配置指示画像取得手段と、前記再配置指示画像取得手段で取得した前記再配置指示シートの画像情報について、再配置指示として記された配置番号とその位置を認識する配置番号認識手段と、前記再配置指示シートの配置番号の位置に、対応する配置番号が割り当てられている前記画像構成ブロックを再配置する再配置手段と、を備えることを特徴とする。
【００１０】
また、請求項２にかかる発明は、請求項１記載の画像処理装置において、前記配置番号認識手段は、再配置指示として加筆された配置番号とその位置に加えて、前記再配置指示シートに加筆されている画像配置のための枠線の位置座標も認識し、前記再配置手段は、前記配置番号認識手段で認識した前記枠線の位置座標内に収まるような形態で、前記画像構成ブロックを再配置する、ことを特徴とする。
【００１１】
また、請求項３にかかる発明のプログラムは、コンピュータを、所定の原稿に対して領域指示のための領域指定とその配置番号とを含む加筆情報を有している加筆原稿の画像情報を取得する原稿画像取得手段と、前記原稿画像取得手段で取得された画像情報の画像構成を定義する画像構成ブロックの階層構造を解析する画像内容解析手段と、前記加筆原稿内に加筆された前記加筆情報を取得する加筆情報取得手段と、前記加筆情報取得手段によって取得された加筆情報の前記加筆原稿上の位置に基づき、前記画像内容解析手段での解析結果から処理対象となる前記画像構成ブロックを選択する処理対象ブロック選択手段と、前記処理対象ブロック選択手段で選択された前記画像構成ブロックに対して、前記加筆情報に含まれる配置番号を割り当てる番号割当手段と、配置番号とその位置を記した再配置指示シートの画像情報を取得する再配置指示画像取得手段と、前記再配置指示画像取得手段で取得した前記再配置指示シートの画像情報について、再配置指示として記された配置番号とその位置を認識する配置番号認識手段と、前記再配置指示シートの配置番号の位置に、対応する配置番号が割り当てられている前記画像構成ブロックを再配置する再配置手段と、として実行させることを特徴とする。
【００１２】
また、請求項４にかかる発明は、請求項３記載のプログラムにおいて、前記配置番号認識手段は、再配置指示として加筆された配置番号とその位置に加えて、前記再配置指示シートに加筆されている画像配置のための枠線の位置座標も認識し、前記再配置手段は、前記配置番号認識手段で認識した前記枠線の位置座標内に収まるような形態で、前記画像構成ブロックを再配置する、ことを特徴とする。
【発明の効果】
【００１３】
本発明によれば、所定の原稿に対して領域指示のための領域指定とその配置番号とを含む加筆情報を有している加筆原稿の画像情報の画像構成を定義する画像構成ブロックの階層構造の解析結果および加筆情報の加筆原稿上の位置から、処理対象となる画像構成ブロックを選択し、各画像構成ブロックに対して配置番号を割り当てるとともに、再配置指示シートの画像情報から配置番号とその位置を認識し、再配置指示シートの配置番号の位置に対応する配置番号が割り当てられている画像構成ブロックを再配置することにより、領域指定とその配置番号とを含む加筆情報を有している加筆原稿と、配置番号とその位置を記した再配置指示シートとをスキャナなどを用いて読み取るだけで、複数のページ間におけるレイアウト構成の変更を行なうことができる、という効果を奏する。
【発明を実施するための最良の形態】
【００１４】
以下に添付図面を参照して、この発明にかかる画像処理装置およびプログラムの最良な実施の形態を詳細に説明する。
【００１５】
本発明の実施の一形態を図１ないし図１２に基づいて説明する。本実施の形態は画像処理装置として、コピー機能、ファクシミリ（ＦＡＸ）機能、プリント機能、スキャナ機能および入力画像（スキャナ機能による読み取り原稿画像やプリンタあるいはＦＡＸ機能により入力された画像）を配信する機能等を複合したいわゆるＭＦＰ（Multi Function Peripheral）と称されるデジタル複合機を適用した例である。
【００１６】
図１は、本発明の実施の一形態にかかるデジタル複合機１０００を概略的に示す構成図である。本実施の形態にかかるデジタル複合機１０００は、後処理装置であるフィニシャ１００と画像読取装置であるスキャナ部２００と画像印刷装置であるプリンタ部３００とで構成されている。
【００１７】
本実施の形態にかかるデジタル複合機１０００は、操作部４００（図２参照）のアプリケーション切り替えキーにより、ドキュメントボックス機能、複写機能、プリンタ機能、およびファクシミリ機能を順次に切り替えて選択することが可能となっている。ドキュメントボックス機能の選択時にはドキュメントボックスモードとなり、複写機能の選択時には複写モードとなり、プリンタ機能の選択時にはプリンタモードとなり、ファクシミリモードの選択時にはファクシミリモードとなる。ここでは、複写モードにおける画像形成の流れを例に挙げ、図１を参照して説明する。
【００１８】
まず、デジタル複合機１０００のスキャナ部２００について説明する。スキャナ部２００は、概略的には、自動原稿送り装置（以後、ＡＤＦ（Auto Document Feeder）という。）１と読み取りユニット５０とで構成されている。
【００１９】
ＡＤＦ１の原稿台２に原稿の画像面を上にして置かれた原稿束は、操作部４００上のプリントキー（図示せず）が押下されると、一番下の原稿から給送ローラ３、給送ベルト４によってコンタクトガラス６上の所定の位置に給送される。なお、デジタル複合機１０００は、１枚の原稿をコンタクトガラス６上の所定の位置に給送完了する毎に原稿枚数をカウントアップするカウント機能を有している。
【００２０】
コンタクトガラス６上の所定の位置に給送された原稿は、読み取りユニット５０によって画像データを読み取られる。
【００２１】
ここで、読み取りユニット５０について詳述する。読み取りユニット５０は、原稿を載置するコンタクトガラス６と光学走査系で構成されている。光学走査系は、照明手段である露光ランプ５１、第１ミラー５２、レンズ５３、ＣＣＤイメージセンサ５４等で構成されている。露光ランプ５１および第１ミラー５２は、図示しない第１キャリッジ上に固定され、第２ミラー５５および第３ミラー５６は、図示しない第１キャリッジ上に固定されている。この光学走査系は、スキャナ駆動モータにて駆動される。本実施の読み取りユニット５０は、コンタクトガラス６上に原稿が搭載された場合に、露光ランプ５１を点灯し、走行体である第１キャリッジおよび第２キャリッジをスキャナ駆動モータにより右方向に移動走査して原稿を読み取る読み取り方式と、露光ランプ５１を点灯し、第１キャリッジおよび第２キャリッジは停止した状態のまま、ＡＤＦ１によって搬送される原稿を読み取る読み取り方式が選択可能である。第１キャリッジおよび第２キャリッジをスキャナ駆動モータにより右方向に移動走査して原稿を読み取る読み取り方式の場合には、原稿像を読み取るときには、光路長が変わらないように、第１キャリッジと第２キャリッジとが２対１の相対速度で副走査方向に機械的に走査される。原稿画像は、ＣＣＤイメージセンサ５４によって読み取られ、電気信号に変換されて出力される。ＣＣＤイメージセンサ５４からの出力信号は、ＡＤコンバータによりデジタルデータ（画像データ）に変換される。
【００２２】
デジタルデータに変換された原稿画像情報は、例えばプリンタ部３００に送られてプリント出力として画像情報の出力が行なわれる場合や、あるいは記憶装置（例えば、図２に示すＨＤＤ１１１８）に送られて記憶される場合等、種々あり、各々のスキャナ部２００の情報として使用されている。記憶装置（例えば、図２に示すＨＤＤ１１１８）に記憶された原稿画像情報は、ドキュメントボックスモードにおいて、再出力などが可能になっている。このようなドキュメントボックス機能によれば、作業効率を大幅に向上することができるとともに、ペーパーレスを実現することができる。
【００２３】
読み取りユニット５０によって画像データの読み取りが終了した原稿は、給送ベルト４および排送ローラ５によって排出される。
【００２４】
さらに、原稿セット検知７にて原稿台２に次の原稿が有ることを検知した場合、前原稿と同様に、次の原稿がコンタクトガラス６上に給送される。
【００２５】
上述した給送ローラ３、給送ベルト４、排送ローラ５は、それぞれ搬送モータによって駆動される。
【００２６】
次に、デジタル複合機１０００のプリンタ部３００について説明する。プリンタ部３００は、概略的には、作像ステーション７０と定着ユニット１７と給紙部８０と両面給紙ユニット１１１とで構成されている。
【００２７】
作像ステーション７０は、電子写真方式で作像するものであり、書き込みユニット５７と、タンデム方式の４つのドラム状の感光体１５と、感光体１５毎に設けられていてシアン（Ｃ）、マゼンダ（Ｍ）、イエロー（Ｙ）、ブラック（Ｋ）の各色に対応した現像ユニット１９と、各感光体１５上に形成された画像がそれぞれの転写位置で転写紙Ｐ上に順次転写されるように用紙を搬送するベルト状の搬送ベルト１６とを主体として構成されている。
【００２８】
給紙部８０は、第１トレイ８と第２トレイ９と第３トレイ１０と第１給紙装置１１と第２給紙装置１２と第３給紙装置１３と縦搬送ユニット１４とにより構成されている。第１トレイ８、第２トレイ９、第３トレイ１０に積載された転写紙Ｐは、各々第１給紙装置１１、第２給紙装置１２、第３給紙装置１３によって給紙され、縦搬送ユニット１４によって搬送方向上流側に位置する感光体１５に当接する位置まで搬送される。
【００２９】
読み取りユニット５０にて読み込まれた画像データは、書き込みユニット５７から出力されるレーザビームによって各感光体１５に書き込まれ、各現像ユニット１９を通過することによってトナー像が形成される。書き込みユニット５７は、レーザ出力ユニット５８、結像レンズ５９、ミラー６０で構成され、レーザ出力ユニット５８の内部には、レーザ光源であるレーザダイオードおよびモータによって高速で定速回転する多角形ミラー（ポリゴンミラー）が備わっている。なお、特に図示しないが、各感光体１５の一端近傍のレーザビームを照射される位置に、主走査同期信号を発生するビームセンサが配置されている。
【００３０】
各感光体１５上の各トナー像は、各感光体１５の回転と等速で搬送ベルト１６によって搬送される転写紙Ｐ上に転写されることにより、転写紙Ｐ上にカラー画像に形成される。その後、定着ユニット１７に搬送されて画像を定着された転写紙Ｐは、排紙ユニット１８によって後処理装置であるフィニシャ１００に排出される。
【００３１】
後処理装置のフィニシャ１００は、排紙ユニット１８の排紙ローラ１８ａによって搬送された転写紙Ｐを、通常排紙ローラ１０２方向とステープル処理部方向へと切り替えて導くことができる。より詳細には、後処理装置であるフィニシャ１００は、切り替え板１０１を上に切り替えることにより、搬送ローラ１０３を経由して通常の排紙トレイ１０４側に転写紙Ｐを排紙することができ、切り替え板１０１を下方向に切り替えることで、搬送ローラ１０５、１０７を経由して、ステープル台１０８に転写紙Ｐを搬送することができる。
【００３２】
ステープル台１０８に積載された転写紙Ｐは、一枚排紙されるごとに紙揃え用のジョガー１０９によって、紙端面が揃えられ、一部のコピー完了と共にステープラ１０６によって綴じられる。ステープラ１０６で綴じられた転写紙Ｐ群は、自重によってステープル完了排紙トレイ１１０に収納される。
【００３３】
一方、フィニシャ１００の通常の排紙トレイ１０４は、前後に移動可能な排紙トレイである。前後に移動可能な排紙トレイ１０４は、原稿毎、あるいは、画像メモリによってソーティングされたコピー部毎に、前後に移動し、簡易的に排出されてくるコピー紙を仕分けるものである。
【００３４】
本実施の形態にかかるデジタル複合機１０００は、転写紙Ｐの両面に画像を作像可能である。転写紙Ｐの両面に画像を作像する場合は、各給紙トレイ８〜１０から給紙され作像された転写紙Ｐを排紙トレイ１０４側に導かないで、排紙ユニット１８の経路切り替えの為の分岐爪１１２を上側にセットすることで、一旦両面給紙ユニット１１１にストックする。その後、両面給紙ユニット１１１にストックされた転写紙Ｐは、再び感光体１５に作像されたトナー画像を転写するために、反転された状態で両面給紙ユニット１１１から再給紙され、下側にセットされた分岐爪１１２を介して排紙トレイ１０４に導かれる。このように、転写紙Ｐの両面に画像を作成する場合に両面給紙ユニット１１１は使用される。また、画像の載った転写紙Ｐの裏面に印字を行なう際にも両面給紙ユニット１１１を用いて転写紙Ｐの裏表を変えることができる。
【００３５】
図２は、デジタル複合機１０００のハードウェア構成を示すブロック図である。図２に示すように、このデジタル複合機１０００は、コントローラ１１０１とプリンタ部３００及びスキャナ部２００とをＰＣＩ（Peripheral Component Interconnect）バスで接続した構成となる。コントローラ１１０１は、デジタル複合機１０００全体の制御と描画、通信、操作表示部４００からの入力を制御するコントローラである。なお、プリンタ部３００又はスキャナ部２００には、誤差拡散やガンマ変換などの画像処理部分が含まれる。
【００３６】
操作表示部４００は、スキャナ部２００で読み取られた原稿の原稿画像情報等を表示するタッチパネル４００ａと、タッチパネル４００ａにペンの先端を接触させることによって、マウスのボタンを押したのと同様の操作を行うことができる筆跡入力手段としてのスタイラスペン４００ｃと、キーの打鍵による使用者の文字入力や編集操作等を受け付けるキーボード４００ｂとを有する。なお、原稿画像情報等を表示する表示手段がタッチパネルでないときは、マウス等の操作手段を操作して画面上のカーソルを移動させて筆跡を入力することもできる。また、スタイラスペン４００ｃを用いずに、ユーザの指による指示などにより、タッチパネル４００ａに対して直接操作するようにしてもよい。
【００３７】
コントローラ１１０１は、コンピュータの主要部であるＣＰＵ（Central Processing Unit）１１１１と、システムメモリ（ＭＥＭ−Ｐ）１１１２と、ノースブリッジ（ＮＢ）１１１３と、サウスブリッジ（ＳＢ）１１１４と、ＡＳＩＣ（Application Specific Integrated Circuit）１１１６と、ローカルメモリ（ＭＥＭ−Ｃ）１１１７と、ハードディスクドライブ（ＨＤＤ）１１１８とを有し、ＮＢ１１１３とＡＳＩＣ１１１６との間をＡＧＰ（Accelerated Graphics Port）バス１１１５で接続した構成となる。また、ＭＥＭ−Ｐ１１１２は、ＲＯＭ（Read Only Memory）１１１２ａと、ＲＡＭ（Random Access Memory）１１１２ｂとをさらに有する。
【００３８】
ＣＰＵ１１１１は、デジタル複合機１０００の全体制御を行うものであり、ＮＢ１１１３、ＭＥＭ−Ｐ１１１２およびＳＢ１１１４からなるチップセットを有し、このチップセットを介して他の機器と接続される。
【００３９】
ＮＢ１１１３は、ＣＰＵ１１１１とＭＥＭ−Ｐ１１１２、ＳＢ１１１４、ＡＧＰバス１１１５とを接続するためのブリッジであり、ＭＥＭ−Ｐ１１１２に対する読み書きなどを制御するメモリコントローラと、ＰＣＩマスタおよびＡＧＰターゲットとを有する。
【００４０】
ＭＥＭ−Ｐ１１１２は、プログラムやデータの格納用メモリ、プログラムやデータの展開用メモリ、プリンタの描画用メモリなどとして用いるシステムメモリであり、ＲＯＭ１１１２ａとＲＡＭ１１１２ｂとからなる。ＲＯＭ１１１２ａは、ＣＰＵ１１１１の動作を制御するプログラムやデータの格納用メモリとして用いる読み出し専用のメモリであり、ＲＡＭ１１１２ｂは、プログラムやデータの展開用メモリ、プリンタの描画用メモリなどとして用いる書き込みおよび読み出し可能なメモリである。
【００４１】
ＳＢ１１１４は、ＮＢ１１１３とＰＣＩデバイス、周辺デバイスとを接続するためのブリッジである。このＳＢ１１１４は、ＰＣＩバスを介してＮＢ１１１３と接続されており、このＰＣＩバスには、ネットワークインタフェース（Ｉ／Ｆ）部１１０４なども接続される。
【００４２】
ＡＳＩＣ１１１６は、画像処理用のハードウェア要素を有する画像処理用途向けのＩＣ（Integrated Circuit）であり、ＡＧＰバス１１１５、ＰＣＩバス、ＨＤＤ１１１８およびＭＥＭ−Ｃ１１１７をそれぞれ接続するブリッジの役割を有する。このＡＳＩＣ１１１６は、ＰＣＩターゲットおよびＡＧＰマスタと、ＡＳＩＣ１１１６の中核をなすアービタ（ＡＲＢ）と、ＭＥＭ−Ｃ１１１７を制御するメモリコントローラと、ハードウェアロジックなどにより画像データの回転などを行う複数のＤＭＡＣ（Direct Memory Access Controller）と、プリンタ部３００やスキャナ部２００との間でＰＣＩバスを介したデータ転送を行うＰＣＩユニットとからなる。このＡＳＩＣ１１１６には、ＰＣＩバスを介してＦＣＵ（Fax Control Unit）１１２１、ＵＳＢ（Universal Serial Bus）１１２２、ＩＥＥＥ１３９４（the Institute of Electrical and Electronics Engineers 1394）インタフェース１１２３が接続される。
【００４３】
ＭＥＭ−Ｃ１１１７は、コピー用画像バッファ、符号バッファとして用いるローカルメモリであり、ＨＤＤ１１１８は、画像データの蓄積、ＣＰＵ１１１１の動作を制御するプログラムの蓄積、フォントデータの蓄積、フォームの蓄積を行うためのストレージである。
【００４４】
ＡＧＰバス１１１５は、グラフィック処理を高速化するために提案されたグラフィックスアクセラレータカード用のバスインタフェースであり、ＭＥＭ−Ｐ１１１２に高スループットで直接アクセスすることにより、グラフィックスアクセラレータカードを高速にするものである。
【００４５】
次に、デジタル複合機１０００のコントローラ１１０１が実行する各種の演算処理のうち、本実施の形態の特長的な処理について以下に説明する。概略的には、本実施の形態の特長的な処理は、所定の原稿に対して手書きにより領域指示のための加筆を行った加筆原稿５００（図３参照）をスキャナ部２００を介して読み込むとともに、レイアウト構成の変更を指示するための再配置指示シート６００（図４参照）をスキャナ部２００を介して読み込み、原稿のレイアウトを再設定するようにしたものである。
【００４６】
デジタル複合機１０００は、アプリケーションプログラムとして、編集プログラムをＨＤＤ１１１８に記憶している。すなわち、デジタル複合機１０００は、編集プログラムが起動すると、この編集プログラムに従い、ＣＰＵ１１１１が各部を制御して編集処理を実行する。図５は、デジタル複合機１０００の編集処理にかかる機能構成を示すブロック図、図６は編集処理の流れを示すフローチャートである。
【００４７】
図５に示すように、デジタル複合機１０００は、ＣＰＵ１１１１が編集プログラムに従うことにより、原稿画像取得手段２１と、画像内容解析手段２２と、加筆情報取得手段２３と、処理対象ブロック選択手段２４と、番号割当手段２５と、再配置指示画像取得手段２６と、配置番号認識手段２７と、再配置手段２８と、を実現する。
【００４８】
原稿画像取得手段２１は、スキャナ部２００を動作させて図３に示す加筆原稿５００を読み取り、加筆原稿５００の画像情報を取得する（図６に示すステップＳ１）。
【００４９】
加筆原稿５００は、所定の原稿に対して手書きにより領域指示のための加筆を行ったものである。図３に示す加筆情報５０１は、原稿データの内容のレイアウトを変更する場合において、移動対象となる原稿データ中の各ブロックを囲む閉曲線（領域指定）と、この閉曲線に付記される配置番号とで構成されている。なお、この閉曲線に付記される配置番号は、後述する再配置指示シート６００におけるレイアウト位置の指定を行うものである。図３は、原稿データが三つのブロックに分かれている場合であって、三つのブロックが閉曲線によってそれぞれ囲まれるとともに、これらの閉曲線にそれぞれ配置番号が付記される例を示すものである。
【００５０】
画像内容解析手段２２は、原稿画像取得手段２１で取得された画像情報の内容を解析する（図６に示すステップＳ２）。
【００５１】
より具体的には、加筆原稿５００においては、原稿画像取得手段２１で取得された画像情報の領域認識処理を行うことにより、加筆原稿５００の画像情報の画像構成を定義する画像構成ブロックの階層構造を求める。領域認識処理は、画像情報に対して光学式文字認識を行うＯＣＲ処理などの各種の画像解析処理を実行して原稿画像の画像属性を表す様々な画像特性値を算出した後、算出された各種の画像特性値に基づいて画像構成ブロックの抽出を行う。加筆原稿５００における階層構造の例としては、以下に示すようなものが挙げられる。
１．ページごとの分類
２．図、グラフ、写真、文章などの同じ種類の塊による分類
３．文章の段落等の小さな塊による分類
４．行や文字列による分類
【００５２】
加筆情報取得手段２３は、加筆原稿５００内に加筆された情報をイメージ情報として取得する（図６に示すステップＳ３）。加筆原稿５００内の加筆情報は、加筆前の原稿の画像情報との差分を取ることにより抽出可能である。すなわち、加筆情報取得手段２３は、加筆情報として、加筆情報５０１（移動対象となる原稿データ中の各ブロックを囲む閉曲線と、この閉曲線に付記される配置番号とで構成されている）を抽出する。
【００５３】
処理対象ブロック選択手段２４は、加筆情報取得手段２３によって取得された加筆情報である加筆情報５０１の加筆原稿５００上の位置に基づき、画像内容解析手段２２で解析した画像構成ブロックの中から処理対象となる画像構成ブロックを選択する（図６に示すステップＳ４）。
【００５４】
番号割当手段２５は、処理対象ブロック選択手段２４で選択された画像構成ブロックに対して、加筆情報５０１に含まれる配置番号を割り当てる（図６に示すステップＳ５）。この時、画像内容解析手段２２で得られた階層構造のノード（画像構成ブロック）に対してページ番号が追加されて、階層化した最上位にページごとの分類が追加される。
【００５５】
再配置指示画像取得手段２６は、スキャナ部２００を動作させて図４に示す再配置指示シート６００を読み取り、再配置指示シート６００の画像情報を取得する（図６に示すステップＳ６）。
【００５６】
再配置指示シート６００は、レイアウト構成の変更を指示するためのものである。図４に示す配置番号６０１は、加筆原稿５００に記した配置番号が付記された閉曲線で囲まれたブロックをレイアウト配置したい位置を示すものであって、加筆原稿５００に記した配置番号と同じ番号で構成されている。
【００５７】
配置番号認識手段２７は、再配置指示画像取得手段２６で取得した再配置指示シート６００の画像情報に対して光学式文字認識を行うＯＣＲ処理などの各種の画像解析処理を実行して、再配置指示として加筆された配置番号とその位置を認識して、再配置の階層データとして記憶する（図６に示すステップＳ７）。なお、配置番号認識手段２７は、加筆原稿５００の領域識別と同様に、認識結果をページ番号および再配置のための配置番号のように階層化して記憶する。
【００５８】
再配置手段２８は、再配置の階層データから１ページ分のデータを取り出して、その中の配置番号に対応する画像を画像内容解析手段２２で得られた階層構造のノードから取り出して、再配置指示シート６００の配置番号の位置に対応する画像構成ブロックを読み込んで再配置する（図６に示すステップＳ８）。なお、ここでは、画像データが重ならないように修正して、画像の再構成をする。
【００５９】
以上のようにしてレイアウトが再設定された原稿は、ユーザ指示により印刷出力される。
【００６０】
ここで、具体的な実施例について説明する。図７に示すように、カラー写真とその下に説明文が書かれている原稿が２ページあるとする。このような原稿は、見開きで使用されることが多いので、写真と説明文を分けて別々の原稿にまとめるとする。
【００６１】
図７に示すように、ユーザは、「原稿１」の１ページ目の写真を囲む閉曲線と配置番号“１”、「原稿１」の説明文を囲む閉曲線と配置番号“３”を手書きで加筆した加筆原稿５００を作成する。また、ユーザは、「原稿２」の１ページ目の写真を囲む閉曲線と配置番号“２”、その説明文を囲む閉曲線と配置番号“４”を手書きで加筆した加筆原稿５００を作成する。そして、ユーザは、デジタル複合機１０００にこれらの加筆原稿５００を読み込ませることを指示して、スキャナ部２００の動作によりデジタル複合機１０００にこれらの加筆原稿５００を読み込む。
【００６２】
次に、図８に示すように、ユーザは、１ページ目に配置番号“１”と“３”を手書きで加筆した再配置指示シート６００を生成する。また、ユーザは、配置番号“２”と“４”を手書きで加筆した再配置指示シート６００を生成する。そして、ユーザは、デジタル複合機１０００にこれらの再配置指示シート６００を読み込ませることを指示して、スキャナ部２００の動作によりこれらの再配置指示シート６００をデジタル複合機１０００に読み込む。
【００６３】
デジタル複合機１０００では編集処理が実行されてレイアウトが再設定された原稿が生成されることなる。具体的には、図９に示すように、１ページ目には２つのカラー写真が印刷され、２ページ目にはそれぞれに対応した説明文がまとめられる。
【００６４】
なお、デジタル複合機１０００にプレビュー画面があれば、レイアウトの再設定の結果を確認して印刷出力を行うことができる。
【００６５】
このように本実施の形態によれば、所定の原稿に対して領域指示のための領域指定とその配置番号とを含む加筆情報を有している加筆原稿５００の画像情報の画像構成を定義する画像構成ブロックの階層構造の解析結果および加筆情報の加筆原稿５００上の位置から、処理対象となる画像構成ブロックを選択し、各画像構成ブロックに対して配置番号を割り当てるとともに、再配置指示シート６００の画像情報から配置番号とその位置を認識し、再配置指示シート６００の配置番号の位置に対応する配置番号が割り当てられている画像構成ブロックを再配置することにより、領域指定とその配置番号とを含む加筆情報を有している加筆原稿５００と、配置番号とその位置を記した再配置指示シート６００とをスキャナ部２００を用いて読み取るだけで、複数のページ間におけるレイアウト構成の変更を行なうことができる。
【００６６】
なお、本実施の形態においては、加筆原稿５００に記した配置番号と同じ番号である配置番号６０１のみが加筆されている再配置指示シート６００を使用するようにしたが、これに限るものではない。例えば、図１０に示すように、画像配置のための枠線６０２も再配置指示シート６００に加筆するようにしても良い。
【００６７】
この場合、配置番号認識手段２７は、配置番号６０１の値だけでなく枠線６０２の位置座標も含めて、再配置の階層データを作成する。なお、配置番号を持たない枠線データも階層データに取り込まれる。これは印刷時の空白領域を設けるために使用される。
【００６８】
そして、再配置手段２８は、配置番号認識手段２７で認識した枠線６０２を、図６に示すステップＳ８の処理における画像データが重ならないようにする処理で使用する。すなわち、再配置手段２８は、配置番号認識手段２７で認識した枠線６０２の位置座標内に収まるような形態で、加筆原稿５００の画像情報の画像構成を定義する画像構成ブロックを再配置する。また、再配置の際に記憶した指定された枠線６０２の大きさまたは面積に応じて、対応する画像構成ブロックの大きさを変更するようにしても良い。
【００６９】
加えて、印刷出力の際には、再配置指示シート６００に加筆した画像配置のための枠線６０２も併せて印刷出力するようにしても良い。これにより、まとまりをはっきりさせることができる。
【００７０】
また、本実施の形態においては、加筆原稿５００の枚数と再配置指示シート６００の枚数とを同一としたが、これに限るものではなく、加筆原稿５００の枚数と、再配置指示シート６００の枚数とを異ならせることもできる。
【００７１】
例えば、図１１に示すように、加筆原稿５００が２枚あり、１枚目の加筆原稿５００に配置番号“１”と配置番号“２”の範囲を選択して加筆指示したとする。また、２枚目の加筆原稿５００も同様に、配置番号“３”と配置番号“４”の範囲を選択して加筆指示したとする。一方、再配置指示シート６００を３枚用いて、１枚目の再配置指示シート６００は配置番号“１”のみを、２枚目の再配置指示シート６００には配置番号“２”と配置番号“３”を、３枚目の再配置指示シート６００には配置番号“４”を加筆する。これにより、図１１に示すように、１ページ目には配置番号“１”のカラー写真が配置され、２ページ目には配置番号“２”と配置番号“３”ののカラー写真が配置され、３ページ目には配置番号“４”のカラー写真が配置される。
【００７２】
なお、本実施の形態のデジタル複合機１０００で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録して提供するように構成してもよい。
【００７３】
また、本実施の形態によるデジタル複合機１０００で実行されるプログラムを、インターネット等のネットワークに接続されたコンピュータ上に格納し、ネットワーク経由でダウンロードさせることにより提供するように構成しても良い。また、本実施の形態のデジタル複合機１０００で実行されるプログラムをインターネット等のネットワーク経由で提供または配布するように構成しても良い。
【００７４】
さらに、本実施の形態においては、画像処理装置としてＭＦＰと称されるデジタル複合機１０００を適用したが、これに限るものではない。例えば、図１２に示すように、画像印刷装置であるプリンタ装置１２０２および画像読取装置であるスキャナ装置１２０４をパーソナルコンピュータ１２０１にケーブル１２０３を介して接続するとともに、この画像処理装置であるパーソナルコンピュータ１２０１のＨＤＤなどの記憶装置（図示せず）に所定のプログラムをインストールし、このプログラムに従ってパーソナルコンピュータ１２０１のＣＰＵ（図示せず）を動作させることによっても、上述したような各種の作用効果と同様の作用効果を得ることができる。
【図面の簡単な説明】
【００７５】
【図１】本発明の実施の一形態にかかるデジタル複合機を概略的に示す構成図である。
【図２】デジタル複合機のハードウェア構成を示すブロック図である。
【図３】加筆原稿を示す平面図である。
【図４】再配置指示シートを示す平面図である。
【図５】編集処理にかかる機能構成を示すブロック図である。
【図６】編集処理の流れを示すフローチャートである。
【図７】加筆原稿を示す平面図である。
【図８】再配置指示シートを示す平面図である。
【図９】レイアウトの再設定例を示す模式図である。
【図１０】再配置指示シートの変形例を示す平面図である。
【図１１】レイアウトの再設定の流れを示す模式図である。
【図１２】画像処理システムの概略構成例を示すブロック図である。
【符号の説明】
【００７６】
２１      原稿画像取得手段
２２      画像内容解析手段
２３      加筆情報取得手段
２４      処理対象ブロック選択手段
２５      番号割当手段
２６      再配置指示画像取得手段
２７      配置番号認識手段
２８      再配置手段
５００    加筆原稿
６００    再配置指示シート
１０００  画像処理装置
【図１】
2009225244.tif 000003
【図２】
2009225244.tif 000004
【図３】
2009225244.tif 000005
【図４】
2009225244.tif 000006
【図５】
2009225244.tif 000007
【図６】
2009225244.tif 000008
【図７】
2009225244.tif 000009
【図８】
2009225244.tif 000010
【図９】
2009225244.tif 000011
【図１０】
2009225244.tif 000012
【図１１】
2009225244.tif 000013
【図１２】
2009225244.tif 000014